(57)【要約】【課題】  より簡便な操作でユーザーの所望の設定情報を入力することができる操作スイッチ装置の提供を目的とする。【解決手段】  筐体１１の六角穴部１１ｂに嵌合する可動六角部材１５と、可動六角部材１５の五角形状の空孔１５ａに嵌合する可動五角部材１４と、可動五角部材１４の四角形状の空孔１４ａおよび三角窪み部１２ａの外形１２ｂに嵌合する可動四角部材１３とを備え、変位手段１６、１７、１８により可動部材１３、１４、１５を三角窪み部１２ａと同一面、または操作面１１ａと同一面に変位させて操作部１０を形成する。【選択図】        図２
2005309732.tif 000002
【特許請求の範囲】
【請求項１】
電子機器の制御状態を操作者が入力設定する操作スイッチ装置であって、
操作者の指を検知し、検知信号を制御部（２００）へ入力する指検知部（１９）と、
前記制御部（２００）からの電気信号により作動が制御される複数の可動部材（１３、１４、１５）と、
前記指検知部（１９）が配置され、前記複数の可動部材（１３、１４、１５）の組み合わせにより前記電子機器の設定項目数に応じた形状に形作られる操作部（１０）と、
前記指検知部（１９）で入力設定可能な前記電子機器の制御項目を表示する表示手段（３００）とを備えることを特徴とする操作スイッチ装置。
【請求項２】
前記複数の可動部材は、六角形状の外形（１５ｂ）と五角形状の空孔（１５ａ）を有する可動六角部材（１５）と、五角形状の外形（１４ｂ）と四角形状の空孔（１４ａ）を有する可動五角部材（１４）と、四角形状の外形（１３ｂ）と三角形状の空孔（１３ａ）を有する可動四角部材（１３）であり、
操作面（１１ａ）に形成される六角穴部（１１ｂ）と、前記操作面（１１ａ）から窪んだ位置に配置され、三角形の外形（１２ｂ）を有する三角窪み部（１２ａ）とを有する筐体（１１）と、
前記制御部（２００）からの電気信号に基づき、前記操作面（１１ａ）と同一面または前記三角窪み部（１２ａ）と同一面に、前記可動四角部材（１３）、前記可動五角部材（１４）、および前記可動六角部材（１５）を変位させる変位手段（１６、１７、１８）とを備え、
前記可動六角部材（１５）は前記筐体（１１）の前記六角穴部（１１ｂ）に嵌合し、前記可動五角部材（１４）は前記可動六角部材（１５）の前記五角形状の空孔（１５ａ）に嵌合し、前記可動四角部材（１３）は前記可動五角部材（１４）の前記四角形状の空孔（１４ａ）および前記三角窪み部（１２ａ）の外形（１２ｂ）に嵌合するようになっていることを特徴とする請求項１に記載の操作スイッチ装置。
【請求項３】
前記指検知部（１９）は、前記可動四角部材（１３）、前記可動五角部材（１４）、および前記可動六角部材（１５）の頂部に配置されることを特徴とする請求項２に記載の操作スイッチ装置。
【請求項４】
前記指検知部（１９）は、前記可動四角部材（１３）、前記可動五角部材（１４）、および前記可動六角部材（１５）の辺部に配置されることを特徴とする請求項２または３に記載の操作スイッチ装置。
【請求項５】
電子機器の制御状態を操作者が入力設定する操作スイッチ装置であって、
操作者の指を検知し、検知信号を制御部（２００）へ入力する複数の指検知部（１９）と、
前記複数の指検知部（１９）が配置される操作部（１０）と、
前記複数の指検知部（１９）に対向する位置に配置され、前記制御部（２００）からの電気信号により作動が制御される複数の可動部材（２１）と、
前記指検知部（１９）で入力設定可能な前記電子機器の制御項目を表示する表示手段（３００）とを備え、
前記制御部（２００）は、前記電子機器の制御項目数に応じて前記複数の可動部材（２１）を前記可動部材（２１）に対向する前記指検知部（１９）が前記操作者の指を検知できる位置と、前記可動部材（２１）に対向する前記指検知部（１９）が前記操作者の指が検知できない位置とに制御するようになっていることを特徴とする操作スイッチ装置。
【請求項６】
電子機器の制御状態を操作者が入力設定する操作スイッチ装置であって、
柱状の操作基材（２２）と、
操作者の指を検知し、検知信号を制御部（２００）へ入力する指検知部（１９）と、
前記操作基材（２２）の側面（２２ｂ）に配置され、前記指検知部（１９）を有する複数の操作部（１０）と、
前記制御部（２００）からの電気信号により、前記操作基材（２２）の端面（２２ａ）を結ぶ方向（Ｒ）を軸方向として前記操作基材（２２）を回転させる回転手段と、
前記指検知部（１９）で入力設定可能な電子機器の制御項目を表示する表示手段（３００）とを備え、
前記制御部（２００）が前記電子機器の制御項目数に応じた前記操作部（１０）を前記操作者が入力設定可能な位置に前記回転手段を制御するようになっていることを特徴とする操作スイッチ装置。
【請求項７】
前記表示手段（３００）は、前記操作部（１０）の形状を表示し、さらに前記操作部（１０）における前記指検知部（１９）の配置位置に前記指検知部（１９）で入力設定可能な前記電子機器の制御項目を表示するようになっていることを特徴とする請求項１ないし６のいずれか１つに記載の操作スイッチ装置。
【請求項８】
前記操作者の指を検出した指検知部（１９）で入力設定可能な前記電子機器の制御項目は、前記表示手段（３００）上で強調表示されることを特徴とする請求項１ないし７のいずれか１つに記載の操作スイッチ装置。
【発明の詳細な説明】
【技術分野】
【０００１】
本発明は、電子機器の制御状態をユーザーが設定する操作スイッチ装置に関し、車両用空調装置、オーディオ装置、ナビゲーションシステム等の車載機器の作動を制御する車両用スイッチ装置に適用して有効である。
【背景技術】
【０００２】
従来、図１９に示すように電子機器の制御状態をユーザーが設定する操作スイッチ装置５０において、情報表示装置であるディスプレイ５１の一部５２に触れることで設定情報を入力する、いわゆるタッチパネルが特許文献１にて知られている（以下従来例と称す）。
【０００３】
これによると、ディスプレイ５１の表示に応じてディスプレイ５１上に入力エリア５２が設定される。そして、入力エリア５２にユーザーの指などが接触したことをセンサが検知することにより、ディスプレイ５１の入力エリア５２に表示される設定を制御装置に入力することができる。
【特許文献１】特開２００３−０５４２９０号公報
【発明の開示】
【発明が解決しようとする課題】
【０００４】
しかし、特許文献１の操作スイッチ装置５０では、ユーザーがディスプレイ５１を見て入力エリア５２の設定項目を確認した後に所望の入力エリア５２に触れなければならないため、特に運転中などに複雑な操作をすることが困難である。
【０００５】
本発明は、上記点に鑑み、ユーザーの所望の設定情報を入力する操作スイッチ装置において、より簡便な操作で設定情報を入力することを目的とする。
【課題を解決するための手段】
【０００６】
上記目的を達成するため、請求項１に記載の発明では、電子機器の制御状態を操作者が入力設定する操作スイッチ装置であって、
操作者の指を検知し、検知信号を制御部（２００）へ入力する指検知部（１９）と、制御部（２００）からの電気信号により作動が制御される複数の可動部材（１３、１４、１５）と、指検知部（１９）が配置され、複数の可動部材（１３、１４、１５）の組み合わせにより電子機器の設定項目数に応じた形状に形作られる操作部（１０）と、指検知部（１９）で入力設定可能な電子機器の制御項目とを表示する表示手段（３００）とを備えることを特徴としている。
【０００７】
これによると、操作部（１０）が可動部材（１３、１４、１５）の組み合わせにより電子機器の設定項目数に応じた形状に形作られるため、操作者が指先などで操作部（１０）の形状を確認でき、操作部（１０）を見ることなく制御項目を簡便に入力することができる。
【０００８】
また、請求項２に記載の発明では、請求項１に記載の操作スイッチ装置において、複数の可動部材は、六角形状の外形（１５ｂ）と五角形状の空孔（１５ａ）を有する可動六角部材（１５）と、五角形状の外形（１４ｂ）と四角形状の空孔（１４ａ）を有する可動五角部材（１４）と、四角形状の外形（１３ｂ）と三角形状の空孔（１３ａ）を有する可動四角部材（１３）であり、
操作面（１１ａ）に形成される六角穴部（１１ｂ）と、操作面（１１ａ）から窪んだ位置に配置され、三角形の外形（１２ｂ）を有する三角窪み部（１２ａ）とを有する筐体（１１）と、制御部（２００）からの電気信号に基づき、操作面（１１ａ）と同一面または三角窪み部（１２ａ）と同一面に、可動四角部材（１３）、可動五角部材（１４）、および可動六角部材（１５）を変位させる変位手段（１６、１７、１８）とを備え、
可動六角部材（１５）は筐体（１１）の六角穴部（１１ｂ）に嵌合し、可動五角部材（１４）は可動六角部材（１５）の五角形状の空孔（１５ａ）に嵌合し、可動四角部材（１３）は可動五角部材（１４）の四角形状の空孔（１４ａ）および三角窪み部（１２ａ）の外形（１２ｂ）に嵌合するようになっていることを特徴としている。
【０００９】
これによると、制御部（２００）が可動部材（１３、１４、１５）を変位手段（１６、１７、１８）の制御により、操作面（１１ａ）と同一面または三角窪み部（１２ａ）と同一面に変位させて、操作部（１０）を形作ることができる。したがって、具体的に操作スイッチ装置に請求項１で述べた効果を発揮させることができる。
【００１０】
また、請求項３に記載の発明のように、請求項２に記載の操作スイッチ装置において、指検知部（１９）を可動部材（１３、１４、１５）の頂部に配置すれば、より操作者が指検知部（１９）を容易に探すことができる。
【００１１】
また、請求項４に記載の発明のように、請求項２または３に記載の操作スイッチ装置において、指検知部（１９）を可動部材（１３、１４、１５）の辺部に配置してもよい。
【００１２】
また、請求項５に記載の発明では、電子機器の制御状態を操作者が入力設定する操作スイッチ装置であって、
操作者の指を検知し、検知信号を制御部（２００）へ入力する複数の指検知部（１９）と、複数の指検知部（１９）が配置される操作部（１０）と、複数の指検知部（１９）に対向する位置に配置され、制御部（２００）からの電気信号により作動が制御される複数の可動部材（２１）と、指検知部（１９）で入力設定可能な電子機器の制御項目を表示する表示手段（３００）とを備え、
制御部（２００）は、電子機器の制御項目数に応じて複数の可動部材（２１）を可動部材（２１）に対向する指検知部（１９）が操作者の指を検知できる位置と、可動部材（２１）に対向する指検知部（１９）が操作者の指が検知できない位置とに制御するようになっていることを特徴としている。
【００１３】
これにより、請求項１のように複数の可動部材（１３、１４、１５）の組み合わせで操作部（１０）を形作る場合に比べて、電子機器の制御項目数に応じて操作者の指を検知できる指検知部（１９）、いいかえると入力設定部位の数を変化できる操作部（１０）を容易に形成することができる。
【００１４】
また、請求項６に記載の発明では、電子機器の制御状態を操作者が入力設定する操作スイッチ装置であって、
柱状の操作基材（２２）と、操作者の指を検知し、検知信号を制御部（２００）へ入力する指検知部（１９）と、操作基材（２２）の側面（２２ｂ）に配置され、指検知部（１９）を有する複数の操作部（１０）と、制御部（２００）からの電気信号により、操作基材（２２）の端面（２２ａ）を結ぶ方向（Ｒ）を軸方向として操作基材（２２）を回転させる回転手段と、指検知部（１９）で入力設定可能な電子機器の制御項目を表示する表示手段（３００）とを備え、
制御部（２００）が電子機器の制御項目数に応じた操作部（１０）を操作者が入力設定可能な位置に回転手段を制御するようになっていることを特徴としている。
【００１５】
これによると、回転手段により操作基材（２２）の側面（２２ｂ）に配置される複数の操作部（１０）のうち、制御項目数に応じた形状の操作部（１０）を操作者が入力設定可能な位置に位置させることができる。したがって、請求項１のように複数の可動部材（１３、１４、１５）の組み合わせで操作部（１０）を形作る場合に比べて、より容易に電子機器の制御項目数に応じた操作部（１０）を操作者に提供することができる。
【００１６】
また、請求項７に記載の発明のように、請求項１ないし６のいずれか１つに記載の操作スイッチ装置において、表示手段（３００）が操作部（１０）の形状を表示し、さらに操作部（１０）における指検知部（１９）の配置位置に指検知部（１９）で入力設定可能な電子機器の制御項目を表示すれば、表示手段（３００）に表示される制御項目と、実際の操作部（１０）の指検知部（１９）が対応付けられるため、より直感的に操作者が制御項目を入力することができる。
【００１７】
また、請求項８に記載の発明のように、請求項１ないし７のいずれか１つに記載の操作スイッチ装置において、操作者の指を検出した指検知部（１９）で入力設定可能な電子機器の制御項目を表示手段（３００）上で強調表示すれば、操作者が所望の制御項目と指を検知した指検知部（１９）で入力可能な項目が一致しているかをより確実に確認することができる。
【００１８】
なお、上記各手段の括弧内の符号は、後述する実施形態に記載の具体的手段との対応関係を示すものである。
【発明を実施するための最良の形態】
【００１９】
（第１実施形態）
図１は、本発明を車載機器の作動を制御する車両用スイッチ装置に適用した第１実施形態の信号の流れを示している。図１中１００は操作スイッチ装置であり、ユーザーが所望の車載機器の設定を選択決定する。この時の入力信号は制御部２００に入力される。制御部２００は操作スイッチ装置１００からの入力信号に基づいて車載機器の作動を制御するものである。車載機器は、例えばナビゲーションシステム、オーディオ、エアコンなどである。
【００２０】
本実施形態では、制御部２００は車載機器の作動制御とともに表示部３００の表示制御および後述の可動部材１３、１４、１５の作動制御を行っている。なお、本実施形態では制御部２００は操作スイッチ装置部１０と別体の例を示しているが、当然に操作スイッチ装置１００と制御部２００とが一体化されていてもよい。
【００２１】
次に、図２（ａ）および（ｂ）を使用して操作スイッチ装置１００の詳細を説明すると、操作スイッチ装置１００は略直方体形状の筐体１１を有している。この筐体１１の面のうち、操作面１１ａ（通常はユーザーが操作しやすい設置状態における上面）には、六角形の穴部１１ｂが形成されている。さらに、筐体１１の底部１１ｃには、底部１１ｃから上方に向かって突き出すように六角穴部１１ｂの一辺と同じ長さの辺を持つ略三角柱状の突き出し部１２が配置されている。この突き出し部１２の上側面１２ａは、操作面１１ａよりも高さが低い、いいかえると操作面１１ａよりも窪んでいるため三角窪み面１２ａと称す。なお、図２（ｂ）中上下方向は、車両設置状態における上下方向を示している。
【００２２】
また、突き出し部１２の三角形状の外形１２ｂには、四角形状の外形１３ｂと三角形状の空孔１３ａを有する可動四角部材１３の三角形空孔１３ａが勘合している。さらに、可動四角部材１３の四角形状の外形１３ｂには、五角形状の外形１４ｂと四角形状の空孔１４ａを有する可動五角部材１４の四角形空孔１４ａが勘合している。さらにまた、可動五角部材１４の五角形状の外形１４ｂには、六角形状の外形１５ｂと五角形状の空孔１５ａを有する可動六角部材１５の五角形空孔１５ｂが勘合している。なお、可動六角部材１５の六角外形１５ｂは、筐体１１の六角穴部１１ｂと勘合している。
【００２３】
ところで、可動部材である可動四角部材１３、可動五角部材１４、可動六角部材１５は変位手段である変位機構１６により、上下方向に変位する。この変位機構１６は、モータ１６ａの回転変位をモータ１６ａ内のギアなどで上下方向（図２の場合）の変位に変換するものである。本実施形態ではモータ１６ａで可動部材１３、１４、１５に固定された変位部材１６ｂを上下に変位させることにより、可動部材１３、１４、１５も上下に変位させている。
【００２４】
また、各可動部材１３、１４、１５に１つずつ変位機構１６、１７、１８が配置されている。これらの変位機構１６、１７、１８は、筐体１１と可動部材１３、１４、１５とで形成される空間内に配置されている。
【００２５】
可動部材１３、１４、１５は変位機構１６、１７、１８により、筐体１１の操作面１１ａと同一面となる位置と、三角窪み面１２ａと同一面になる位置とに変位する。図２は全ての可動部材１３、１４、１５が操作面１１ａと同一面となる位置になっている。したがって、三角窪み面１２ａのみが操作面１１ａから凹んでいる。この凹みがユーザーの直接の入力領域である操作部１０として機能する。
【００２６】
可動部材１３、１４、１５および三角窪み面１２ａの多角形の頂部（角部）には、ユーザーの指を検知する指センサ１９が配置されている。この指センサ１９は、静電気を感知する静電式、光の遮断、回折、反射状態による光学式、圧力を検知する感圧式、接点を有するメカ式スイッチなどである。
【００２７】
また、筐体１１の下部には、ユーザーの設定入力を最終的に確定して、制御部２００へ信号を送る決定スイッチ２０が配置されている。この決定スイッチ２０は、例えば指センサ１９が一定時間以上指を検知した場合にＯＮとなるものである。
【００２８】
次に、上記構成において本実施形態の作動を説明すると、一般的に車載装置の設定項目は図３に示すように複数の階層（レベル）を持つ構造（ツリー状構造）になっている。本実施形態ではレベル１としてオーディオ、エアコン、ナビゲーション、情報の４つの機器をユーザーが選択できる。ここでは、一例としてオーディオ（レベル１）→ＦＭ（レベル２）→ＣＨ１（レベル３）を選択する例を説明する。
【００２９】
図４は制御部２００の制御流れ図であり、Ｓ１００よりユーザーの車載機器の制御設定処理がスタートする。Ｓ１１０では、指センサ１９がユーザーの指を検出したか否かを判断する。検出していれば処理がＳ１２０へ進み、検出していなければＳ１１０を繰り返す。
【００３０】
本例では、説明を簡便にするために操作部１０が図６のように四角領域からスタートする。図６では、可動四角部材１３が三角窪み面１２ａと同一面、可動五角部材１４および可動六角部材１５が操作面１１ａと同一面に位置している。したがって、三角窪み面１２ａと可動四角部材１３とが作る四角の凹みが操作部１０となる。この時、表示画面３００には、操作部１０の形状に対応する形状（四角形状）が表示されており、さらに操作部１０における指センサ１９の配置位置に入力設定可能な電子機器の制御項目（オーディオ、エアコン、ナビゲーション、情報）が表示されている。
【００３１】
この操作部１０で指が検出されると、指を検出した指センサ１９で入力できる制御項目が強調表示される（Ｓ１２０）。この強調表示により、ユーザーが所望の設定項目と指センサ１９で選択している項目が一致しているかが確認され、処理がＳ１３０へ進む。本実施形態では、図５の左図で示すようにオーディオ項目が太字と下線で強調されている。項目の強調方法として、項目を大きく表示、色を変える、反転（白抜き）表示、枠で囲う、音声による読み上げなどがある。
【００３２】
Ｓ１３０では、決定スイッチ２０がＯＮか否かが判断される。ＯＦＦの場合には、指センサ１９がＯＮか否かが判断され（Ｓ１７０）、ＯＦＦであれば項目の強調表示が解除された後に（Ｓ１８０）処理がＳ１１０へ戻る。ＯＮであれば、処理がＳ１３０へ戻る。Ｓ１８０→Ｓ１１０の処理は、ユーザーが所望の設定項目と指センサ１９の設定項目とが一致していない場合の処理である。
【００３３】
ところで、Ｓ１３０で決定スイッチ２０がＯＮの場合には、報知手段によりユーザーに入力受付が報知され、設定項目（オーディオ）が確定する（Ｓ１４０）。報知の方法としては、音による方法や操作スイッチ装置１００を振動させる方法などがある。
【００３４】
Ｓ１４０で設定項目が確定すると制御部２００は、確定した設定項目の次のレベル（この場合は、レベル２）が持つ項目数に応じて操作部１０の形状を変更する（Ｓ１５０）。オーディオ項目のレベル２の項目は５種類（機能１〜５）であるため、図６の状態から制御部２００が変位機構１７を制御して可動五角部材１４を三角窪み部１２ａと同一面に変位させる。これにより、五角形状の凹みの操作部１０が形成される（図７）。
【００３５】
五角形状の操作部１０が形成された後、表示部３００は操作部１０に対応した五角形状と、操作部１０に配置される指センサ１９の位置で設定可能な項目を表示する（Ｓ１６０および図５の中央図参照）。そして、五角形状の操作部１０におけるユーザーの項目設定が再度Ｓ１１０から開始される。本例での要部のみを説明すると、Ｓ１２０で項目ＦＭが強調表示（図５中の中央図）され、Ｓ１３０、Ｓ１４０で項目ＦＭが入力確定される。
【００３６】
項目ＦＭの次のレベル（レベル３）が持つ項目数は、６種類（チャンネル１〜６）であるため、制御部２００が変位機構１８を制御して可動六角部材１５を三角窪み部１２ａと同一面に変位させる。これにより、六角形状の凹みの操作部１０が形成される（図８）。そして、Ｓ１２０で項目ＣＨ１が強調表示（図５中の右図）され、Ｓ１３０、Ｓ１４０で項目ＣＨ１が入力確定される。
【００３７】
次に、第１実施形態による作用効果を列挙すると、（１）操作部１０が可動部材１３、１４、１５の組み合わせにより、設定項目数に応じた形状に形作られるため、ユーザーが指先などで操作部１０の形状を確認でき、操作部１０を見ることなく制御項目を簡便に入力することができる。
【００３８】
本実施形態では、上述のように操作部１０が図２に示す三角形状、図６に示す四角形状、図７に示す五角形状、図８に示す六角形状に変化する。操作部１０は、凹んでいるため指先などで容易に操作部１０を探すことができる。
【００３９】
（２）表示部３００が操作部１０の形状を表示し、さらに操作部１０における指検知部１９の配置位置に指検知部１９で入力設定可能な電子機器の制御項目を表示するため、表示部３００に表示される制御項目と、実際の操作部１０の指センサ１９が対応付けられ、より直感的にユーザーが制御項目を入力することができる（図５参照）。
【００４０】
（３）ユーザーの指を検出した指センサ１９で入力設定可能な電子機器の制御項目を表示部３００上で強調表示するため（図４のＳ１２０、図５参照）、ユーザーが所望の制御項目と指を検知した指センサ１９で入力可能な項目が一致しているかを、より確実にユーザーに認知させることができる。
【００４１】
（４）指センサ１９を、よりユーザーが指先などで探し易い多角形状の可動部材１３、１４、１５の頂部に配置したため、ユーザーが指センサ１９をより容易、より確実に探すことができる。
【００４２】
以上の効果が相まって、ユーザーがより簡便容易に車載装置の設定項目を入力することができる。
【００４３】
（第２実施形態）
本実施形態は第１実施形態とほぼ同構成であるが、操作部１０における指センサ１９の配置位置が異なる。図９に示すように六角穴部１１ｂの辺部には内方向へ向かって突き出す突起部１９ａを備えた指センサ１９が配置されている。
【００４４】
この突起部１９ａにより、ユーザーが指センサ１９をより容易、より確実に探すことができる。図９では図示していないが指センサ１９は、六角穴部１１ｂの他に、可動四角部材１３、可動五角部材１４、および可動六角部材１５の辺部に配置される。
【００４５】
なお、本実施形態においても第１実施形態の効果（１）〜（３）を発揮させることができる。
【００４６】
（第３実施形態）
本実施形態も第１実施形態とほぼ同構成であるが図１０（ａ）、（ｂ）のように多角形状の操作部１０の角部および辺部に指センサ１９を配置すれば、操作部１０の角数を多くすること無く、より多くの項目数の入力に対応することができる。この場合の表示部３００の表示は図１０（ｃ）のようになり、視認性を損なうことなく各項目を表示することができる。
【００４７】
また、操作部１０の角数を多くすると可動部材が増加したり、可動部材の外寸法が大きくなり操作スイッチ装置１００が大型化したりするという問題がある。しかし、本実施形態では操作部１０の角数を多くすること無く項目数を増やすことができるため、可動部材の増加によるコストの増加や、操作スイッチ装置１００の大型化を防止することができる。
【００４８】
なお、本実施形態においても第１実施形態の効果（１）〜（３）を発揮させることができる。
【００４９】
（第４実施形態）
本実施形態は、図１１に示すように筐体１１の操作面１１ａに円形状で窪む操作部１０が形成されている。この操作部１０の外周には、操作部１０中央側に開口する半円弧形状の６つの指センサ１９がほぼ等間隔（６０°間隔）で配置されている。そして、半円弧形状の指センサ１９に嵌合するように半円形状の昇降部材２１が配置されている。
【００５０】
昇降部材２１は変位機構１６により上下方向に変位する。変位機構１６についてより詳しく説明すると、変位機構１６は、モータ１６ａと、このモータ１６ａのモータ軸と一体に回転する円盤部材１６ｃと、円盤部材１６ｃの同一の円周上に配置され、図１１（ｃ）中の上方向に突き出す突き出し部１６ｄとで構成されている。
【００５１】
昇降部材２１は、突き出し部１６ｄに接している時には上方向に押し上げられ指センサ１９の検知部を覆う。したがって、指センサ１９がユーザーの指を検知できなくなる。一方、昇降部材２１が円盤部材１６ｃに接している時には、指センサ１９の検知部を覆わないため、指センサ１９はユーザーの指を検知できる。
【００５２】
この変位機構１６による昇降部材２１の変位について図１２を使用して説明すると、円盤部材１６ｃの円周は、二十四分割、つまり１５°ずつで区切られており、突き出し部１６ｄが図１２に示す位置に配置されている。本実施形態では、操作部１０で入力する制御項目が３〜６の場合を想定している。図１２は、６つの指センサ２１（便宜上センサＳ１〜Ｓ６と称す）の位置と突き出し部１６ｄの位置との関係を示している。指センサ２１が黒く塗りつぶしてある場合は、突き出し部１６ｄが昇降部材２１を押し上げてユーザーの指を検知できなくしていることを表している。
【００５３】
図１２では、指センサＳ２、Ｓ４、Ｓ６で検知ができなく、指センサＳ１、Ｓ３、Ｓ５で指検知が可能である。いいかえると、この状態は第１実施形態の制御項目数が３の場合（図２）に相当する。
【００５４】
図１３は、モータ１６ａが円盤部材１６ｃを時計回りに１５°回転させた状態である。この時、指センサＳ１、Ｓ４で指検知ができなくなり、指センサＳ２、Ｓ３、Ｓ５、Ｓ６で指検知が可能である。いいかえると、４つの制御項目が入力できる。
【００５５】
さらにモータ１６ａが円盤部材１６ｃを時計回りに１５°回転させると図１４のように指センサＳ４で指検知ができなくなり、指センサＳ１〜Ｓ３、Ｓ５、Ｓ６で指検知が可能となる。つまり、５つの制御項目が入力できる。図１４の状態から、さらにまた、モータ１６ａが円盤部材を時計回りに１５°回転させると、全ての指センサ１９で指検知が可能、つまり６つの制御項目が入力できる。
【００５６】
これにより、第１〜第３実施形態のように複数の可動部材１３、１４、１５の組み合わせで操作部１０を形作る場合に比べて、電子機器の制御項目数に応じて入力設定部位の数を変化できる操作部１０を容易に形成することができる。
【００５７】
また、半円弧形状の指センサ１９を操作部１０の外周に配置して指センサ１９の位置が外周から窪むようにしたため、ユーザーが操作スイッチ装置を見なくても指先の感触で容易に指センサ１９の位置を把握することができる。
【００５８】
なお、本実施形態においても第１実施形態の効果（２）、（３）を発揮させることができる。
【００５９】
（第５実施形態）
本実施形態では、図１６に示すように四角柱状の操作基材２２の４つの側面２２ｂに三角、四角、五角、六角形状の操作部１０が配置されている。そして、端面２２ａを結ぶ方向が軸方向Ｒとなるように操作基材２２を回転させる回転手段（モータ、図示せず）が配置されている。
【００６０】
本実施形態では、制御部２００が電子機器の制御項目数に応じてモータを制御して操作部１０を操作者が入力設定可能な位置、例えば図１６中の上側位置に配置する。なお、操作部１０が定位置となるまで、指センサ１９の指検出を停止して誤入力を防止してもよい。
【００６１】
これにより、第１〜第３実施形態のように複数の可動部材１３、１４、１５の組み合わせで操作部１０を形作る場合に比べて、電子機器の制御項目数に応じて入力設定部位の数が違う複数の操作部１０を容易にユーザーに提供することができる。
【００６２】
また、駆動機構がモータ１つで済むため、操作スイッチ装置の構成をより簡単なものにすることができる。
【００６３】
なお、本実施形態においても第１実施形態の効果（２）、（３）を発揮させることができる。
【００６４】
（第６実施形態）
本実施形態は、第５実施形態とほぼ同構成であるが、操作基材２２の形状が異なる。本実施形態のように操作基材２２を円柱形状として、側面に操作部１０を配置して操作スイッチ装置１００を形成して、第５実施形態と同様の効果を発揮させてもよい。なお、角の無い円柱形状の操作基材２２を用いることで、尖った角部がユーザーに触れることを防止できる。
【００６５】
（他の実施形態）
上述の実施形態では操作部１０が操作面１１ａまたは操作基材２２の側面２２ｂから凹んでいたが、操作部１０が操作面１１ａまたは側面２２ｂから突き出して形成されていてもよい。
【００６６】
上述の第１〜第３実施形態では、各可動部材１３、１４、１５に変位機構１６、１７、１８が配置される例を示したが、第４実施形態のようにカムなどを使用して１つの変位機構で複数の可動部材を変位させてもよい。
【００６７】
上述の第１〜第３実施形態では、変位機構としてモータ１６ａ、１７ａ、１８ａを使用した例を示したが、変位機構はソレノイド、ピストン機構を使用して空気圧や油圧で可動部材を変位させるアクチュエータなど種々変更可能である。
【００６８】
上述の実施形態では、表示部３００に操作部１０の形状と、この操作部１０に配置される指センサの位置に応じて制御項目を表示する例を示したが、図１８のように操作部１０で制御可能な項目のみを表示してもよい。
【図面の簡単な説明】
【００６９】
【図１】本発明の第１実施形態に係る操作スイッチ装置、制御部、および表示部の電子制御ブロック図である。
【図２】第１実施形態の操作スイッチ装置の（ａ）平面図、（ｂ）Ａ−Ａ断面図であり、操作部が三角形の状態を示している。
【図３】第１実施形態の車載機器の設定項目を示す図である。
【図４】第１実施形態の項目設定時における制御部２００の制御流れ図である。
【図５】第１実施形態の項目設定時における操作者の指の位置および表示画面の遷移を示す図である。
【図６】第１実施形態の操作スイッチ装置の（ａ）平面図、（ｂ）Ｂ−Ｂ断面図であり、操作部が四角形の状態を示している。
【図７】第１実施形態の操作スイッチ装置の（ａ）平面図、（ｂ）Ｂ−Ｂ断面図であり、操作部が五角形の状態を示している。
【図８】第１実施形態の操作スイッチ装置の（ａ）平面図、（ｂ）Ｂ−Ｂ断面図であり、操作部が六角形の状態を示している。
【図９】本発明の第２実施形態に係る操作スイッチ装置の操作部を示す平面図である。
【図１０】本発明の第３実施形態に係る操作スイッチ装置の操作部を示す（ａ）平面図、（ｂ）Ｃ−Ｃ断面図、および（ｃ）表示部の表示画面を示す図である。
【図１１】本発明の第４実施形態に係る操作スイッチ装置を示す（ａ）平面図、（ｂ）Ａ−Ａ断面図、（ｃ）Ｂ−Ｂ断面図である。
【図１２】本発明の第４実施形態の円盤部材および突き出し部を示す（ａ）平面図、（ｂ）便宜的に円盤部材の円周全体を示す側面図であり、操作部の制御項目数が３の場合である。
【図１３】本発明の第４実施形態の円盤部材および突き出し部を示す平面図であり、操作部の制御項目数が４の場合である。
【図１４】本発明の第４実施形態の円盤部材および突き出し部を示す平面図であり、操作部の制御項目数が５の場合である。
【図１５】本発明の第４実施形態の円盤部材および突き出し部を示す平面図であり、操作部の制御項目数が６の場合である。
【図１６】本発明の第５実施形態に係る操作スイッチ装置を示す斜視図である。
【図１７】本発明の第６実施形態に係る操作スイッチ装置を示す斜視図である。
【図１８】第１〜第６実施形態における表示部の表示画面の他の実施形態を示す図である。
【図１９】特許文献１に係る操作スイッチ装置を示す正面図である。
【符号の説明】
【００７０】
１０…操作部、１１…筐体、１１ａ…操作面、１１ｂ…六角穴部、１２ａ…三角窪み部、
１２ｂ…三角形の外形、１３…可動四角部材（可動部材）、１３ａ…三角形状の空孔、
１３ｂ…四角形状の外形、１４…可動五角部材（可動部材）、１４ａ…四角形状の空孔、
１４ｂ…五角形状の外形、１５…可動六角部材（可動部材）、１５ａ…五角形状の空孔、
１５ｂ…六角形状の外形、１６…変位機構（変位手段）、１７…変位機構（変位手段）、
１８…変位機構（変位手段）、１９…指センサ（指検知部）、
２１…昇降部材（可動部材）、２２…操作基材、２２ａ…端面、２２ｂ…側面、
２００…制御部、３００…表示部（表示手段）。
【図１】
2005309732.tif 000003
【図２】
2005309732.tif 000004
【図３】
2005309732.tif 000005
【図４】
2005309732.tif 000006
【図５】
2005309732.tif 000007
【図６】
2005309732.tif 000008
【図７】
2005309732.tif 000009
【図８】
2005309732.tif 000010
【図９】
2005309732.tif 000011
【図１０】
2005309732.tif 000012
【図１１】
2005309732.tif 000013
【図１２】
2005309732.tif 000014
【図１３】
2005309732.tif 000015
【図１４】
2005309732.tif 000016
【図１５】
2005309732.tif 000017
【図１６】
2005309732.tif 000018
【図１７】
2005309732.tif 000019
【図１８】
2005309732.tif 000020
【図１９】
2005309732.tif 000021